(57)【要約】      （修正有）【課題】持ち運びが簡単で邪魔にならず、あまり人目を気にすることなく外出が可能となり、かつ長時間の外出や長期間の旅行等にも交換電池さえ持って行けば何等問題を生じることなく体内に酸素を供給することができる携帯用の簡易酸素供給器を提供する。【解決手段】空気を吸い込む吸入部５と、吸入部５から吸い込んだ空気を内部通路を介して吐出する吐出部６と、電池を収納する電池ケースとを一体に小型形成し、かつ、吸入部５から空気を吸い込んで吐出部６から吐出させる小型のモーターポンプを内部に設け、さらにモーターポンプを操作するスイッチ９を外部に設けて成る酸素供給器本体２と、酸素供給器本体２の吐出部６に一端部を接続した細いチューブからなるカニューラ３とによって構成されている。【選択図】図１
0003165340.tif 000002
【実用新案登録請求の範囲】
【請求項１】
空気を吸い込む吸入部と、吸入部から吸い込まれた空気を内部通路を介して吐出する吐出部と、電池を収納する電池ケースとを一体に小型形成し、かつ、上記吸入部から空気を吸い込んで吐出部から吐出させる小型のモーターポンプを内部に設け、さらに上記モーターポンプを操作するスイッチを外部に設けて成る酸素供給器本体と、上記酸素供給器本体の吐出部に一端部を接続した細いチューブからなるカニューラとによって構成されている携帯用の簡易酸素供給器。
【請求項２】
カニューラが、上記酸素供給器本体の吐出部に一端部を接続した細いチューブを有する眼鏡カニューラである請求項１に記載の携帯用の簡易酸素供給器。
【考案の詳細な説明】
【技術分野】
【０００１】
本考案は、血液中の酸素飽和度が正常値より低い人が自宅等で酸素吸入するのに使用する酸素供給器に関し、特に上記酸素飽和度が正常値より少し低い人が簡単に大気中の酸素を体内に摂り込むのに有用な携帯用の簡易酸素供給器に関する。
【背景技術】
【０００２】
血液中の酸素飽和度を計測するパルスオキシメータのセンサ部に指を装着して計測した数値が基準値より低い人の場合、自宅等で酸素を強制的に体内に摂り込むために従来から医師の処方を受けて酸素供給装置を使用している。
【０００３】
この酸素供給装置としては、酸素濃縮供給装置または液体酸素供給装置が従来から使用されている。酸素濃縮供給装置は、空気を取り込んで窒素を除去し酸素を濃縮して供給できるようにしたものであり、外出時には携帯用のボンベに濃縮した上記酸素を充填し、このボンベをキャリア（ｃａｒｒｉｅｒ）に載せキャリアを引きながら移動している。
そして上記ボンベに接続したカニューラと呼ばれる透明の細いチューブを鼻腔につけ、ボンベのバルブを緩めて強制的に酸素を体内に摂り込んでいる。
【０００４】
また液体酸素供給装置は、液化酸素を充填した親器である供給器付きボンベから少しずつ気化させた酸素を供給するものであり、外出等の際には小型の充填装置に酸素を充填し、この充填装置をバッグ等に収納して充填装置に接続したカニューラを鼻腔につけ、充填装置を作動させて酸素を強制的に体内に供給する。
【先行技術文献】
【特許文献】
【０００５】
【特許文献１】特開２００３−０３８６４８号公報
【特許文献２】特開２００８−２３９４２６号公報
【考案の概要】
【考案が解決しようとする課題】
【０００６】
しかしながら、酸素濃縮供給装置の場合、上記したように外出時には携帯用のボンベに濃縮した上記酸素を充填し、このボンベをキャリアに載せキャリアを引きながら移動しなければならず、駅等の階段の上り下りや長い距離の徒歩による移動は大変である。
また、ボンベの酸素充填量にもおのずと限界があるため、１本のボンベで長時間酸素供給をすることはできない。そのため長時間の外出は困難であった。
さらに、このボンベの使用者は、カニューラを鼻腔につけてボンベを積んだキャリアを引いた姿が他人から重症の患者のように見られていると考えてしまうことが往々にしてあり、外出にもためらいが生じ自宅に引きこもってしまう要因になる。
【０００７】
また、液体酸素供給装置の場合、かばんに上記した充填装置を入れてもあまり邪魔になることはなく持ち運びも楽であり、駅等の階段の上り下りや長い距離の徒歩もある程度楽であり、上記したようなボンベをキャリアに積んで移動する場合と比べて見栄えもよい。
しかし、この充填装置の場合も数時間位酸素を使用すると充填酸素がなくなり、最寄の病院に行って空になった充填装置に酸素充填を依頼しなければならず、煩わしくて大変であり、病院のない場所や自宅から遠く離れた場所に外出するのは控えなければならない。
【０００８】
本考案は、上記のような点に鑑みて開発されたもので、その目的とするところは、持ち運びが簡単で邪魔にならず、あまり人目を気にすることなく外出が可能となり、かつ長時間の外出や長期間の旅行等にも交換電池さえ持っていけば何等問題を生じることなく体内に酸素を供給することができる携帯用の簡易酸素供給器を提供することにある。
【課題を解決するための手段】
【０００９】
前記課題を解決するために、本考案の第１の携帯用の簡易酸素供給器は、空気を吸い込む吸入部と、吸入部から吸い込まれた空気を内部通路を介して吐出する吐出部と、電池を収納する電池ケースとを一体に小型形成し、かつ、上記吸入部から空気を吸い込んで吐出部から吐出させる小型のモーターポンプを内部に設け、さらに上記モーターポンプを操作するスイッチを外部に設けて成る酸素供給器本体と、上記酸素供給器本体の吐出部に一端部を接続した細いチューブからなるカニューラとによって構成されている。
【００１０】
本考案の第２の携帯用の簡易酸素供給器は、上記第１の簡易酸素供給器の構成において、カニューラが上記酸素供給器本体の吐出部に一端部を接続した細いチューブを有する眼鏡カニューラである構成である。
【考案の効果】
【００１１】
本考案の第１の携帯用の簡易酸素供給器では、使用者が電源スイッチを操作することにより簡単に酸素供給器本体に接続した細いチューブを介して鼻腔から体内に強制的に酸素を供給することができ、使用者の酸素飽和度を正常値にしたり正常値に近づけられて日常生活に支障をきたすことを防ぐことができる。
また、酸素供給器本体を小型のバッグやウエストポーチ等に収納することができるため、持ち運びが簡単で邪魔にならず、他人に気づかれることも少なく、今までのようにあまり人目を気にすることなく外出でき、また坂や階段等の上り下りも、この簡易酸素供給器を持っているからといってあまり負担を感じることもない。
さらに、電池が消耗すれば市中の何処にでも売っている一般的な新しい電池を購入して交換することにより、長時間の外出や長期間の旅行等も何等支障をきたすことなく実行することができる。
【００１２】
本考案の第２のものにおいては、カニューラが眼鏡カニューラであれば、鼻腔に導かれる細いチューブの存在が他人からはより判りずらくなり、使用者にとっては酸素供給器の使用者であることを他人に知られてしまうといったことを極力避けることができ、人目を気にすることなく外出できる。
【図面の簡単な説明】
【００１３】
【図１】本考案の実施形態に係る携帯用の簡易酸素供給器の斜視図である。
【図２】上記実施形態に係る酸素供給器本体の裏側の電池ケースの蓋を外した状態の説明図である。
【図３】図１に示す簡易酸素供給器の使用状態を示す説明図である。
【図４】本考案の他の実施形態に係る簡易酸素供給器の斜視図である。
【図５】図４に示す簡易酸素供給器の使用状態を示す説明図である。
【考案を実施するための形態】
【００１４】
以下、添付の図面と共に、本考案の実施形態について説明する。
図１〜図３は本考案第１の実施形態に係る携帯用の簡易酸素供給器に関する図であって、図示の簡易酸素供給器１は、酸素供給器本体２と、１本の透明の細いチューブ３ａ及び途中で２本に分岐した透明の細い分岐チューブ３ｂ並びに鼻腔に挿入する二つのノズル部４を形成した鼻腔挿入部３ｃからなるカニューラ３とによって構成されている。
【００１５】
酸素供給器本体２は、端部（下端面および外周面）に空気を吸い込む開口５ａを形成した吸入部５と、吸入部５から吸い込まれた空気を内部通路（図示省略）を介して吐出する吐出部６と、電源となる電池７を収納する電池ケース８とを一体に形成してあり、さらに内部に空気を上記吸入部５から吸い込む動力となるモーターポンプ（図示省略）を備えると共に、このモーターポンプを操作するＯＮ・ＯＦＦスイッチ９を電池ケース８の反対側に備えている。
酸素供給器本体２は小型軽量に全体を形成したものであり、ウエストバッグＷや手提げかばんやショルダーバッグ等に容易に収納することができる。８ａは電池ケース８の蓋である。
【００１６】
上記酸素供給器本体２の吐出部６の先端部１０には、カニューラ３のチューブ３ａを接続してある。
【００１７】
この簡易酸素供給器１を使用する場合は、酸素供給器本体２を例えばウエストバッグＷに入れて使用者の腰にベルトＶで取り付け、カニューラ３の２本の分岐チューブ３ｂの端部を接続した鼻腔挿入部３ｃの二つのノズル部４を両方の鼻腔に挿入し、使用者が任意にＯＮ・ＯＦＦスイッチ９を操作してモーターポンプを作動させることによって、空気が吸入部５、内部通路（図示省略）、吐出部６、カニューラ３を介して鼻腔から肺に強制的に自動供給され、酸素を体内に供給することができる。
そのため使用者の酸素飽和度を正常値にしたり正常値に近づけることができて、体調不良を起すことも無く正常な日常生活を送ることができる。
また、小型のバッグやウエストポーチ等に酸素供給器本体を収納することができるため目立たず、他人に使用を気づかれることも少なく、人目を気にすることなく外出できる。
【００１８】
図４に示す本考案の第２の実施形態に係る携帯用の簡易酸素供給器１は、上記したカニューラ３の鼻腔挿入部３ｃの部分（図１参照）を、眼鏡カニューラ１１に置き換えたものであり、その他の構成は上記した構成と同様であり同一箇所に同一符号を付して説明を省略する。
この簡易酸素供給器１は、カニューラ３の２本の分岐チューブ３ｂの端部を眼鏡カニューラ１１の各テンプル１２の後端部１２ａに接続して酸素供給器本体２から空気を眼鏡カニューラ１１を介して鼻腔から肺に強制的に自動供給する構成のものである。
【００１９】
上記眼鏡カニューラ１１は、各テンプル１２を中空な筒状に形成してあり、各テンプル１２の先端部１２ｂと蝶番を介して連結する智１３も内部を中空に形成してあり、上記各テンプル１２の先端部１２ｂと智１３とは蝶番を介してテンプル１２を折り畳んだときには空気を通す箇所の連結関係が解除され、テンプル１２を智１３に対して９０度に展開した時に各テンプル１２の先端部１２ｂと智１３の空気を通す箇所が嵌め合わされて通気するようになる。
上記智１３は、レンズ枠１４の上部枠部１４ａに固着されていて、この上部枠部１４ａも中空に形成してあり、智１３の中空部分と連通するようにしてある。
さらに上部枠部１４ａのブリッジ１５側の端部１６は下方を向くように形成してあり、この各端部１６にフック状に形成した鼻腔挿入チューブ１７を接続してある。
【００２０】
この眼鏡カニューラ１１を備えた簡易酸素供給器１を使用する場合は、図５に示すように酸素供給器本体２を上記した説明と同様に例えばウエストバッグＷに入れて使用者の腰にベルトＶで取り付け、通常の眼鏡と同じように眼鏡を顔に掛ける共に、各鼻腔挿入チューブ１７を鼻腔に挿入し、ＯＮ・ＯＦＦスイッチ９を操作してモーターポンプを作動させることによって、空気が吸入部５、内部通路（図示省略）、吐出部６、眼鏡カニューラ１１を介して鼻腔から肺に強制的に自動供給され、酸素を体内に供給することができる。
この眼鏡カニューラ１１を使用すれば、他人からは透明なチューブ３ａや分岐チューブ３ｂが見えるだけで、簡易酸素供給器１を使用していることがあまり目立たず、人目を気にすることなく外出することができる。
勿論、チューブ３ａや分岐チューブ３ｂを上着の内側に隠せば、他人からは簡易酸素供給器１を使用している人であると気づかれることも少なくなる。
【符号の説明】
【００２１】
１    携帯用の簡易酸素供給器
２    酸素供給器本体
３    カニューラ
３ａ    チューブ
３ｂ    分岐チューブ  
５    吸入部
６    吐出部
７    電池
８    電池ケース
９    ＯＮ・ＯＦＦスイッチ
１１  眼鏡カニューラ
【図１】
0003165340.tif 000003
【図２】
0003165340.tif 000004
【図３】
0003165340.tif 000005
【図４】
0003165340.tif 000006
【図５】
0003165340.tif 000007